(57)【要約】      （修正有）【課題】多機能トレーニングマシンを提供する。【解決手段】棒体１１、２つの補助輪セット１２、及び２つの連接用部材１３を備える。２つの補助輪セット１２は棒体１１の一側にそれぞれ位置され、２つの連接用部材１３は１つの補助輪セット１２の一側にそれぞれ位置される。前記２つの連接用部材１３は単独或いは共同で、弾性ロープやブロック等の少なくとも１つの付加部材を連接させる。上述の構造により、多機能トレーニングマシンは多様な機能を有し、使用者が異なる部位の筋肉に対してトレーニングを行える。【選択図】図１
0003197878.tif 000002
【実用新案登録請求の範囲】
【請求項１】
抵抗力を提供する弾性部材、及び前記弾性部材を被覆させる被覆ケースで構成される棒体と、
前記棒体の一側にそれぞれ位置され、且つ１つ或いは複数のローラーセット及び把持部を各々具備し、前記把持部は使用者が把持するのに用いられ、各前記ローラーセットは支持面或いは地面に当接されると共にその上で往復転動し、各前記ローラーセットは大きい車輪、小さい車輪、及び前記大きい車輪の一側にそれぞれ位置される２枚の連接板をさらに含み、各前記連接板の両端は前記大きい車輪及び前記小さい車輪の軸心にそれぞれ軸着される２つの補助輪セットと、
各前記補助輪セットの一側にそれぞれ位置され、且つ１つ或いは複数の付加部材の連接に用いられる２つの連接用部材と、を備えることを特徴とする、
多機能トレーニングマシン。
【請求項２】
各前記連接板は前記小さい車輪に隣接する一端に溝部を有し、前記小さい車輪の軸心は前記溝部内に枢接され、或いは、各前記連接板は前記大きい車輪に隣接する一端に溝部を有し、前記大きい車輪の軸心は前記溝部内に枢接されることを特徴とする、請求項１記載の多機能トレーニングマシン。
【請求項３】
前記１つ或いは複数の付加部材は、弾性ロープ及びブロックを備えることを特徴とする、請求項１記載の多機能トレーニングマシン。
【考案の詳細な説明】
【技術分野】
【０００１】
本考案は、多機能トレーニングマシンに関する。
【背景技術】
【０００２】
従来、身体の健康及び美容のために多種多様なトレーニングマシンが発明された。
【考案の概要】
【考案が解決しようとする課題】
【０００３】
しかしながら、これらトレーニングマシンはどれも単一機能のみしかなく、使用者が異なる身体の部位のトレーニングを行いたい場合、別々にトレーニングマシンを購入するほかなかった。これでは費用が掛かりすぎる上、これらの器材を収納するためにも大きな空間が必要になった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものであり、その目的とするところは、多機能トレーニングマシンを提供することにある。
【課題を解決するための手段】
【０００６】
上述した課題を解決し、上記目的を達成するための本考案の多機能トレーニングマシンは、棒体、２つの補助輪セット、及び２つの連接用部材を備える。前記棒体内には抵抗力を提供する弾性部材を有する。前記２つの補助輪セットは前記棒体の一側にそれぞれ位置される。前記２つの連接用部材は、単独或いは共同で１つないしは複数の付加部材の連接に用いられ、多様な機能を提供し、異なる部位の筋肉のトレーニングを行えることを特徴とする。
【０００７】
好ましい実施態様では、前記棒体は前記弾性部材、及び前記弾性部材を被覆させる被覆ケースを備える。
【０００８】
好ましい実施態様では、各前記補助輪セットは１つ或いは複数のローラーセット、及び使用者に把持させるための把持部を備え、各前記ローラーセットは支持面もしくは地面に当接されると共にその上で往復転動を行う。
【０００９】
好ましい実施態様では、各前記補助輪セットは、前記把持部の両端にそれぞれ位置される２つのローラーセットを備える。
【００１０】
好ましい実施態様では、各前記ローラーセットは大きい車輪、小さい車輪、及び前記大きい車輪の一側にそれぞれ位置されると共に前記大きい車輪及び前記小さい車輪の連接に用いられる２枚の連接板を備える。
【００１１】
好ましい実施態様では、各前記連接板の両端は前記大きい車輪及び前記小さい車輪の軸心にそれぞれ軸着される。
【００１２】
好ましい実施態様では、各前記連接板は前記小さい車輪に隣接する一端に溝部を有し、前記小さい車輪の軸心は前記溝部内に枢接される。
【００１３】
好ましい実施態様では、各前記連接板は前記大きい車輪に隣接する一端に溝部を有し、前記大きい車輪の軸心は前記溝部内に枢接される。
【００１４】
好ましい実施態様では、前記１つ或いは複数の付加部材は弾性ロープを備える。
【００１５】
好ましい実施態様では、前記１つ或いは複数の付加部材は弾性ロープ及びブロックを備える。
【考案の効果】
【００１６】
本考案によれば、簡単で効果的かつ安価な多機能トレーニングマシンにより、使用者が異なる部位の筋肉のトレーニングを行えるようになり、且つ収納性も高いという長所が得られる。
【図面の簡単な説明】
【００１７】
【図１】本考案の第１実施形態による多機能トレーニングマシンを示す外観斜視図である。
【図２】本考案の第１実施形態による多機能トレーニングマシンを示す展開図である。
【図３Ａ】本考案の多機能トレーニングマシンのロールセットの部分を示す拡大図である。
【図３Ｂ】本考案の多機能トレーニングマシンのロールセットの部分を示す拡大図である。
【図４】本考案の多機能トレーニングマシンを示す使用図である。
【図５】本考案の多機能トレーニングマシンを示す使用図である。
【図６】本考案の多機能トレーニングマシンが連結される弾性ロープの概念図である。
【図７】本考案の多機能トレーニングマシンが連結される弾性ロープ及びブロックの概念図である。
【考案を実施するための形態】
【００１８】
以下に図面を参照して、本考案を実施するための形態について、詳細に説明する。なお、本考案は、以下に説明する実施形態に限定されるものではない。
【００１９】
＜第１実施形態＞
以下、本考案の実施形態について、図面を参照しながら説明する。図１は本考案の第１実施形態による多機能トレーニングマシン１を示す外観斜視図である。図２は本考案の第１実施形態による多機能トレーニングマシン１を示す展開図である。
【００２０】
多機能トレーニングマシン１の主要な構造は、棒体１１、２つの補助輪セット１２、及び２つの連接用部材１３を備える（図１及び図２参照）。２つの補助輪セット１２は棒体１１の一側にそれぞれ位置され、２つの連接用部材１３は１つの補助輪セット１２の一側にそれぞれ位置される。２つの連接用部材１３は単独或いは共同で１つないしは複数の付加部材の連接に使用され、多様な機能を提供し、異なる部位の筋肉のトレーニングを行える。
【００２１】
棒体１１は被覆ケース１１０及び弾性部材１１２を備えるが、但しこれに限定されない。被覆ケース１１０の材質は、好ましくは柔軟なスポンジ（発泡ウレタンフォーム）、合成樹脂、或いは他の単一ないしは複合材質等の材質である。弾性部材１１２は、好ましくはばねであり、被覆ケース１１０内に位置され、これが変形することで使用者のトレーニング中に抵抗力を発生させる。
【００２２】
図１乃至図３Ａに示すように、各補助輪セット１２は１つ或いは複数のローラーセット１２１及び把持部１２２を備える。好ましい実施態様において、各補助輪セット１２は、把持部１２２の両端にそれぞれ位置される２つのローラーセット１２１を含む。把持部１２２が使用者に把持され、ローラーセット１２１が支持面或いは地面に当接されると共にその上で往復転動を行う。
各ローラーセット１２１は大きい車輪１２１０、小さい車輪１２１２、及び大きい車輪１２１０の一側にそれぞれ位置される２枚の連接板１２１４を具備し、各連接板１２１４の両端は大きい車輪１２１０及び小さい車輪１２１２の軸心にそれぞれ軸着される（図３Ａ参照）。好ましくは、連接板１２１４は小さい車輪１２１２に隣接する一端に溝部１２１６を有し、小さい車輪１２１２の軸心は溝部１２１６内に枢接される。これにより、小さい車輪１２１２の軸心が溝部１２１６内で移動する。
【００２３】
また、大きい車輪１２１０及び小さい車輪１２１２が支持面或いは地面に当接されて滑動すると共に滑動方向が矢印に示すようになると（図３Ａ参照）、大きい車輪１２１０が前になり、小さい車輪１２１２が後になり、小さい車輪１２１２の軸心が溝部１２１６内の大きい車輪から離れる一端まで移動し、小さい車輪１２１２が大きい車輪１２１０から離れる。これにより、小さい車輪１２１２が大きい車輪１２１０の回転を阻害させないようになる。
【００２４】
なお、大きい車輪１２１０及び小さい車輪１２１２が支持面或いは地面に当接されて滑動すると共に滑動方向が矢印に示すようになると（図３Ｂ参照）、大きい車輪１２１０が後になり、小さい車輪１２１２が前になり、小さい車輪１２１２の軸心が溝部１２１６内の大きい車輪に近接する一端まで移動し、小さい車輪１２１２が大きい車輪１２１０に接触して抵抗力を発生させ、大きい車輪１２１０の回転を阻害する。
【００２５】
本考案の他の実施形態では、連接板１２１４の溝部１２１６の位置は大きい車輪に隣接する一端に設けられ、小さい車輪１２１２に隣接する一端ではない。即ち、大きい車輪１２１０の軸心が溝部１２１６内に枢接されて移動する。
本考案の他の実施形態では、各連接板１２１４は２つの溝部１２１６を有し、大きい車輪１２１０及び小さい車輪１２１２に隣接する一端にそれぞれ位置され、大きい車輪１２１０及び小さい車輪１２１２の軸心は２つの溝部１２１６内でそれぞれ移動する。
これら実施形態での操作は、前述の好ましい実施形態と同様である。換言すれば、回転時に大きい車輪が前になり、小さい車輪が後になると、小さい車輪が大きい車輪から離れる。回転時に大きい車輪が後になり、小さい車輪が前になると、小さい車輪が大きい車輪に接触して抵抗力を発生させる。
【００２６】
上述の多機能トレーニングマシン１は多くの機能とトレーニング方式を有する。例えば、図４に示す多機能トレーニングマシン１はアームバーであり、使用者が両手でトレーニングマシン１の把持部１２２を把持し、力を入れて棒体１１を湾曲させる。棒体１１の弾性部材が発生させる抵抗力により、腕の筋肉のトレーニングが行える。
図５には他の使用方式を図示する。トレーニングマシン１はボディブレードであり、使用者が片手或いは両手で棒体１１を把持して前後に振ると、棒体１１の弾性部材が変形することで抵抗力が発生し、トレーニングマシン１の両端が補助輪セット１２を有することでまた抵抗力が発生し、トレーニングマシン１の両端が矢印の方向（力を入れる方向に平行）に慣性で振動する。
【００２７】
また、トレーニングマシン１は市場でよく目にする腹筋ローラーや、プッシュアップ補助器でもよい。多機能トレーニングマシン１の使用方式は上述のものに制限されず、トレーニングマシン１の構造を利用する使用方式及びスタイルは全て本考案の範囲に含まれるため、個別に列挙するのは省略する。
【００２８】
さらに、トレーニングマシンの２つの連接用部材１３が単独或いは共同で１つないしは複数の付加部材を連接させることで多様な機能を提供する。例えば、図６に示すトレーニングマシン１の２つの連接用部材１３は弾性ロープ１４の一端にそれぞれ連接される。弾性ロープ１４は弾性材質により製造され、或いは弾性装置や部材が内設されて抵抗力を提供する。これにより、上述の構造を利用して、トレーニングマシン１は多様なトレーニング方式を提供する。
例えば、トレーニングマシン１の本体（棒体１１、補助輪セット１２、連接用部材１３）は機構に固定させる、人の脚で踏ませる、身体の他の部位に固定させる等して、手や身体の他の部位で弾性ロープ１４で引っ張ることで、トレーニングの目的を達成させる。使用方式は上述のものに制限されず、上述の構造による使用方式やスタイルは全て本考案の範囲に含まれるため、個別に列挙することは省略する。
【００２９】
図７に示すトレーニングマシン１の１つの連接用部材１３は弾性ロープ１４の一端に連接され、弾性ロープ１４の他端はブロック１５に連接される（例えば、決着方式で連接される）。ブロック１５は隙間を緊結したり柱状物を付加して固定させる。これにより、上述の構造を利用してトレーニングマシン１は多様なトレーニング方式を提供する。例えば、ブロックが固定された後、使用者がトレーニングマシン１本体を引くと、弾性ロープ１４の抵抗力により筋力トレーニングの目的を達成させる。使用方式及び装設方式は上述のものに制限されず、上述の構造を利用した使用方式及びスタイルは全て本考案の範囲に含まれるため、個別に列挙することは省く。
【００３０】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００３１】
１        多機能トレーニングマシン
１１      棒体
１２      補助輪セット
１３      連接用部材
１４      弾性ロープ
１５      ブロック
１１０    被覆ケース
１１２    弾性部材
１２１    ローラーセット
１２２    把持部
１２１０  大きい車輪
１２１２  小さい車輪
１２１４  連接板
１２１６  溝部
【図１】
0003197878.tif 000003
【図２】
0003197878.tif 000004
【図３Ａ】
0003197878.tif 000005
【図３Ｂ】
0003197878.tif 000006
【図４】
0003197878.tif 000007
【図５】
0003197878.tif 000008
【図６】
0003197878.tif 000009
【図７】
0003197878.tif 000010